(57)【要約】【課題】見る者に意外性を与え、汎用性をも備えたキャンドルの着火システムを提供する。【解決手段】キャンドルスタンド１に複数の支持部３を設ける。そして、各支持部３に、電圧の印加に伴い発熱して着火する着火手段と、電源と各着火手段との接続をＯＮ・ＯＦＦして前記着火手段への電圧の印加を制御するコントローラとを設ける。さらに、支持部３を、複数の段に分けて設け、この支持部３の数を、上から下に向かうに連れて増加させ、しかも、最上段の支持部３を最後部の中心に設け、これを中心に、段が一つ低く形成された支持部３を、段が一つ高く形成された支持部３の前部の周囲を囲むように配置し、前記コントローラに、これらの段毎に対応する着火スイッチを設ける。【選択図】図１
2007024482.tif 000002
【特許請求の範囲】
【請求項１】
ベース部と、このベース部に設置され、キャンドルを支持する複数の支持部とを有するキャンドルスタンドと、
各支持部に配されて、電圧の印加に伴い発熱して、前記キャンドルを着火する着火手段と、
電源と各着火手段との接続をＯＮ・ＯＦＦして前記着火手段への電圧の印加を制御するコントローラと、を具備し、
前記支持部は、複数の段に分けて設けられ、
この支持部の数が、上側の段から下側の段に向かうに連れ、増加されるように配置され、
しかも、最上段をなす支持部が最後部の中心に設けられ、これを中心として、段が一つ低く形成された支持部が、段が一つ高く形成された支持部の前部の周囲を囲むように配置され、
前記コントローラには、これらの段毎に対応する着火スイッチが設けられていることを特徴とするキャンドルの着火システム。
【請求項２】
ベース部と、このベース部に設置され、キャンドルを支持する複数の支持部とを有するキャンドルスタンドと、
電圧の印加に伴い発熱して、前記キャンドルを着火する着火手段と、
電源と各着火手段との接続をＯＮ・ＯＦＦして前記着火手段への電圧の印加を制御するコントローラと、を具備し、
前記支持部は、複数の段に分けて設けられ、
この支持部の数が、上側の段から下側の段に向かうに連れ、増加されるように配置され、
しかも、最上段をなす支持部が最後部の中心に設けられ、これを中心として、段が一つ低く形成された支持部が、段が一つ高く形成された支持部の前部の周囲を囲むように配置され、
前記着火手段は、前記支持部の各段における中央に位置する支持部に取り付けられて、この中央に位置する支持部のキャンドルを着火するよう設けられ、
前記支持部の各段に配された前記キャンドルは、導火線で連絡され、
前記コントローラには、これらの段毎に対応する着火スイッチが設けられていることを特徴とするキャンドルの着火システム。
【請求項３】
前記支持部は、前記ベース部から上方に向けて延びる支持パイプと、これら支持パイプの上端に取り付けられて、キャンドルが乗せられる搭載部とからそれぞれ形成され、
前記支持部の中で、少なくとも前記着火手段の設けられた支持部は、前記支持パイプにおける前記搭載部の直下、又は前記搭載部に、前記ベース部から内部を通された前記配線の出される取り出し窓が、このキャンドルスタンドの背面側に形成されてなり、
前記支持パイプの内部を通された配線は、この取り出し窓から出されて前記着火手段と接続されていることを特徴とする請求項１又は請求項２に記載のキャンドルの着火システム。
【請求項４】
前記キャンドルスタンドは、各段を構成し、隙間を空けて平行に配された二枚のボードから構成された支持台と、前記ベース部から上方に延びてこれら支持台を支持する複数の支柱とを備え、
最上段を除く前記支持部は、この支持台から上方に向けて延びる支持パイプと、この支持パイプの上端に取り付けられた搭載部とから構成され、
これらの支持部では、前記配線は、前記ベース部から支柱に沿わされ、かつ、前記支持台において、前記２枚のボード間の隙間を通され、かつ、前記支持パイプにおいて、その内部を通され、かつ、各支持パイプにおける前記搭載部の直下又は前記搭載部に形成された取り出し窓からパイプの外に出されて前記着火手段と接続され、
最上段をなす支持部は、前記ベース部から直接上方に向けて延びる支持パイプと、この支持パイプの上端に取り付けられた搭載部から構成され、
この支持パイプの前記搭載部の直下には前記ベース部から内部を通された前記配線の出される取り出し窓が、このキャンドルスタンドの背面側に形成され、前記配線は、この支持パイプの内部を通され、前記取り出し窓から出されて着火手段と接続されていることを特徴とする請求項１に記載のキャンドルの着火システム。
【請求項５】
前記キャンドルスタンドは、内部に空間が形成されるように、透明な板材を組み合わせてなる背面部を備え、この背面部に形成された空間内には液体が充填され、
前記ベース部にエアを送り出すエアポンプが設けられ、
前記背面部の下部にはこのエアポンプと接続され、前記空間内に充填された液体中にエアを複数の気泡として発生させる気泡発生部と、背面部の下側から上方に向けて光を照射せしめる光源とが設けられ、
前記支持部は、この背面部の前面に取り付けられていることを特徴とする請求項１又は請求項２に記載のキャンドルの着火システム。
【請求項６】
前記支持部には、前記電源と接続されて発光する発光体がそれぞれ取り付けられ、
これら発光体は、その発光体が配された各段の前記点火手段をＯＮ・ＯＦＦさせる着火スイッチと接続されていることを特徴とする請求項１〜５いずれかに記載のキャンドルの着火システム。
【請求項７】
一定の図形の輪郭をなし、上下方向に延びるように配された支持体と、この支持体に沿って所定の間隔をあけて配された複数のキャンドル台と、これらキャンドル台に取り付けられたキャンドルの芯を直列に連結する導火線とを具備し、
各キャンドル台には、電圧の印加に伴い発熱して、前記キャンドルを着火する着火手段がその上に配されるキャンドルの背面側に配されるようにそれぞれ設けられ、
各着火手段は、電源と各着火手段との接続をＯＮ・ＯＦＦする着火スイッチが設けられて、前記着火手段への電圧の印加を制御するコントローラが接続されていることを特徴とするキャンドルの着火システム。
【発明の詳細な説明】
【技術分野】
【０００１】
本発明は、結婚披露宴、各種パーティ又はセレモニーなどに使用されるキャンドル装置のキャンドルに対して、所望の演出を加えて着火可能なキャンドルの着火システムに関する。
【背景技術】
【０００２】
従来から結婚披露宴において行われる催しとしてキャンドルサービスがある。このキャンドルサービスに使用されるキャンドル装置は、ハート形の輪郭をなし、斜めに傾けられた支持体に複数のキャンドルがこの支持体に沿って配置され、各キャンドルの芯同士が導火線で接続されたものが使用されている。
【０００３】
この様なキャンドル装置では、例えば、支持体の最下部に配されたキャンドルに点火し、この火が導火線を伝わって、下側に配されたキャンドルから順に全体に火がともる仕組みとなっている。特許文献１にはこのようなキャンドルの着火システムの代表例が示されている。
【特許文献１】特開２００２−１３０６７３号公報
【発明の開示】
【発明が解決しようとする課題】
【０００４】
しかし、特許文献１に記載のキャンドルの着火システムは、既に多くの結婚披露宴で実施されており、新鮮さがなく飽きられているのが実状である。
【０００５】
また、単にキャンドル同士を導火線で結んでいるだけなので、すべてのキャンドルに確実に火をともすには、最下部に配されたキャンドルに着火する必要がある。この点でも意外性がなくマンネリ化している。
【０００６】
さらに、支持体の形状がハート形に限られ、結婚披露宴以外に使用の場が無く汎用性もない。
【０００７】
そこで、本発明では、見るものに意外性を与えることができるだけでなく、結婚披露宴以外も使用することができ、汎用性をも備えたキャンドルの着火システムを提供する。
【課題を解決するための手段】
【０００８】
本発明では、このような課題を解決するために、ベース部と、このベース部に設置され、キャンドルを支持する複数の支持部とを有するキャンドルスタンドと、各支持部に配されて、電圧の印加に伴い発熱して、前記キャンドルを着火する着火手段と、電源と各着火手段との接続をＯＮ・ＯＦＦして前記着火手段への電圧の印加を制御するコントローラと、を具備し、前記支持部は、複数の段に分けて設けられ、この支持部の数が、上側の段から下側の段に向かうに連れ、増加されるように配置され、しかも、最上段をなす支持部が最後部の中心に設けられ、これを中心として、段が一つ低く形成された支持部が、段が一つ高く形成された支持部の前部の周囲を囲むように配置され、前記コントローラには、これらの段毎に対応する着火スイッチが設けられているキャンドルの着火システムを採用した。
【０００９】
あるいは、ベース部と、このベース部に設置され、キャンドルを支持する複数の支持部とを有するキャンドルスタンドと、電圧の印加に伴い発熱して、前記キャンドルを着火する着火手段と、電源と各着火手段との接続をＯＮ・ＯＦＦして前記着火手段への電圧の印加を制御するコントローラと、を具備し、前記支持部は、複数の段に分けて設けられ、この支持部の数が、上側の段から下側の段に向かうに連れ、増加されるように配置され、しかも、最上段をなす支持部が最後部の中心に設けられ、これを中心として、段が一つ低く形成された支持部が、段が一つ高く形成された支持部の前部の周囲を囲むように配置され、前記着火手段は、前記支持部の各段における中央に位置する支持部に取り付けられて、この中央に位置する支持部のキャンドルを着火するよう設けられ、前記支持部の各段に配された前記キャンドルは、導火線で連絡され、前記コントローラには、これらの段毎に対応する着火スイッチが設けられているキャンドルの着火システムを採用する。
【００１０】
かかるキャンドルの着火システムにおいて、前記支持部は、前記ベース部から上方に向けて延びる支持パイプと、これら支持パイプの上端に取り付けられて、キャンドルが乗せられる搭載部とからそれぞれ形成され、前記支持部の中で、少なくとも前記着火手段の設けられた支持部は、前記支持パイプにおける前記搭載部の直下、又は前記搭載部に、前記ベース部から内部を通された前記配線の出される取り出し窓が、このキャンドルスタンドの背面側に形成されてなり、前記支持パイプの内部を通された配線は、この取り出し窓から出されて前記着火手段と接続されている。
【００１１】
または、前記キャンドルスタンドは、各段を構成し、隙間を空けて平行に配された二枚のボードから構成された支持台と、前記ベース部から上方に延びてこれら支持台を支持する複数の支柱とを備え、最上段を除く前記支持部は、この支持台から上方に向けて延びる支持パイプと、この支持パイプの上端に取り付けられた搭載部とから構成され、これらの支持部では、前記配線は、前記ベース部から支柱に沿わされ、かつ、前記支持台において、前記２枚のボード間の隙間を通され、かつ、前記支持パイプにおいて、その内部を通され、かつ、各支持パイプにおける前記搭載部の直下又は前記搭載部に形成された取り出し窓からパイプの外に出されて前記着火手段と接続され、最上段をなす支持部は、前記ベース部から直接上方に向けて延びる支持パイプと、この支持パイプの上端に取り付けられた搭載部から構成され、この支持パイプの前記搭載部の直下には前記ベース部から内部を通された前記配線の出される取り出し窓が、このキャンドルスタンドの背面側に形成され、前記配線は、この支持パイプの内部を通され、前記取り出し窓から出されて着火手段と接続されるように構成しても良い。
【００１２】
そして、本発明では、前記キャンドルスタンドは、内部に空間が形成されるように、透明な板材を組み合わせてなる背面部を備え、この背面部に形成された空間内には液体が充填され、前記ベース部にエアを送り出すエアポンプが設けられ、前記背面部の下部にはこのエアポンプと接続され、前記空間内に充填された液体中にエアを複数の気泡として発生させる気泡発生部と、背面部の下側から上方に向けて光を照射せしめる光源とが設けられ、前記支持部は、この背面部の前面に取り付けられていることを特徴としている。
【００１３】
さらに、上記のキャンドルの着火システムにおいて、前記支持部には、前記電源と接続されて発光する発光体がそれぞれ取り付けられ、これら発光体は、その発光体が配された各段の前記点火手段をＯＮ・ＯＦＦさせる着火スイッチと接続されるよう構成するとなおよい。
【００１４】
さらに、本発明では、一定の図形の輪郭をなし、上下方向に延びるように配された支持体と、この支持体に沿って所定の間隔をあけて配された複数のキャンドル台と、これらキャンドル台に取り付けられたキャンドルの芯を直列に連結する導火線とを具備し、各キャンドル台には、電圧の印加に伴い発熱して、前記キャンドルを着火する着火手段がその上に配されるキャンドルの背面側に配されるようにそれぞれ設けられ、各着火手段は、電源と各着火手段との接続をＯＮ・ＯＦＦする着火スイッチが設けられて、前記着火手段への電圧の印加を制御するコントローラが接続されているキャンドルの着火システムをも砕氷している。
【発明の効果】
【００１５】
本発明によれは、遠隔操作によって所望のキャンドルに着火させることができ、様々な演出を行うことができる。そして、キャンドルを搭載する支持部が複数の段に分けて配置され、各段に配された支持部毎に一斉に着火することができるため、その演出もダイナミックなものとすることができる。
【００１６】
加えて、内部に液体の充填された背面部を設け、その内部に気泡を発生させれば、背面部の下方から照射した光と、キャンドルの着火の方向性とにより、光の流れにコントラストを形成するなどして、鮮やかさと神秘性を演出することができる。
【発明を実施するための最良の形態】
【００１７】
以下、本発明の実施の形態について、図面を参照しながら説明する。
【００１８】
図１は、本発明のキャンドル着火システムに使用されるキャンドルスタンド１の１実施形態を示す斜視図である。この図１に示すように、キャンドルスタンド１は、平面視が三角形状のベース部２と、このベース部２の上面から上方に向けて延びる複数の支持部３とを備えている。なお、この実施形態では、キャンドル１０をワイングラス７のカップ８内に入れ、これを支持部３の上に載せる態様のものである。
【００１９】
ベース部２は、内部に収納スペースの形成されたボックスである。このベース部２の内部には、後に説明する配線４０や電源などが収納される。
【００２０】
一方、支持部３は、ベース部２の上面から上方に向けて延びる支持パイプ４と、この支持パイプ４の上端に取り付けられ、キャンドル１０がその上に搭載される搭載部５とからそれぞれ構成されている。各支持部３は、ベース部２の後部の中央に位置する支持部３を中心とし、この外側を相似形の三角形の斜辺をなす２辺で順次囲む様にして配置されている。
【００２１】
そして、ベース部２の後部中央に位置する支持部３を最上段として構成し、その回りの各三角形の２辺上に配された支持部３の高さを順次低くして、複数の段が形成されるように形成されている。
【００２２】
この実施形態にかかる支持部３は３本の支持パイプ４を備えており、前側に２本の支持パイプ４を配置し、後ろ側に１本の支持パイプ４を配置している。そして、これら支持パイプ４の上端に取り付けられた搭載部５は円盤状に形成されている。
【００２３】
この搭載部５にはワイングラス７がそれぞれ乗せられているが、乗せられたワイングラス７が振動などにより落下することを防止するため、各搭載部５の上面には、ワイングラス７のフット９の外周縁を引っかけるグラスフック６がそれぞれ設けられている。このグラスフック６は、搭載部５の上面からアルファベットの「Ｌ」の字を逆さまにしたものを突出させて形成され、各搭載部５にそれぞれ２個ずつ設けられている。
【００２４】
図２は、搭載部５にキャンドル１０の搭載された支持部３の上部を示している。
【００２５】
前述のように、搭載部５には、ワイングラス７が、そのフット９をグラスフック６に引っかけるようにして搭載される。キャンドル１０は、このワイングラス７のカップ８内に配置される。このキャンドル１０は、筒状の容器１１内にろう１２が充填され、その中心に芯１３が設けられて構成されたものである。
【００２６】
そして、ワイングラス７のカップ８には、キャンドル１０を着火する着火手段としての点火ライター２０が取り付けられている。この点火ライター２０は、ケーシング２１とケーシング２１の内部に設けられた電熱線２２とを備えている。点火部２３は、この点火ライター２０の軸方向の一方側に設けられ、この点火部２３では電熱線２２が露出されている。この電熱線２２は、一定の電圧が印加されると発熱する。印加する電圧はおよそ６Ｖである。このような点火ライター２０が、フック２４により、ワイングラス７のカップ８の縁部に掛けられる。なお、点火ライター２０は、このキャンドルスタンド１を正面から見た際に、目立たぬよう、キャンドルスタンド１の背面側に掛けられる。
【００２７】
また、点火ライター２０のケーシング２１には、キャンドル１０の芯１３と点火ライター２０とを連絡する導火線３０を固定する固定板２５が取り付けられている。固定板２５は、板材にスリット２６が形成されており、このスリット２６に導火線３０を挿入して導火線３０を肯定している。この固定板２５には、ホルダ２６が設けられており、このホルダ２６が点火ライター２０のケーシング２１の外周面を把持して取り付けられている。
【００２８】
この点火ライター２０とキャンドル１０の芯１３とは、導火線３０で連絡されている。導火線３０の一端は、芯１３の根元にてろう１２の内部に挿入される。そして、点火ライター２０の点火部２３上を通されて、他端が固定板２５により固定されている。このため、点火ライター２０に電圧が印加され、電熱線２２が発熱すると、点火部２３の上に配された部分が着火され、この火がキャンドル１０の芯１３に伝えられる。これによりキャンドル１０が着火されるようになっている。
【００２９】
この点火ライター２０には配線４０が繋がれているが、この配線４０はワイングラス７及び搭載部５の背面側を沿わされて、後ろ側の支持パイプ４における搭載部５の直下の位置まで延ばされている。この後ろ側に配された支持パイプ４には、このキャンドルスタンド１の背面側に、支持パイプ４の内外を貫通する孔が形成されている。この孔は、配線４０を通すための取り出し窓４ａである。配線４０は、この取り出し窓４ａから支持パイプ４内に挿入され、ベースまで到達される。ベースまで到達された配線４０は、床を沿わせるなどして、遠隔操作をするためのコントローラ５０に接続される。
【００３０】
この配線４０は、図３に示すようにしてコントローラ５０に接続される。各点火ライター２０は、それらが設けられた段毎に並列に接続され、これら各段の配線４０毎にコントローラ５０に接続されている。コントローラ５０には、各段に対応するスイッチ５１〜５４が設けられていて、各スイッチ５１〜５４に対応する段に設けられた点火ライター２０に電圧を印加することができる。例えば、図３に示すコントローラ５０の右端のスイッチ５４を押すと、最も外側に配された最下段の支持部３に設けられた点火ライター２０のみに電圧を引火する。
【００３１】
このように、このキャンドル着火システムでは、所望の段を任意に選択し、これに対応する点火ライター２０に電圧を印加させることができる。これにより、遠隔操作により着火させたいキャンドル１０を段毎に選択して着火させることができる。
【００３２】
なお、支持パイプ４は、１本の太いパイプで構成しても構わない。また、電源は、専用の電源を使用するものには限定されず、家庭用のコンセントを使用しても良い。この場合、変圧器などを使用して、点火ライター２０を作動可能とする電圧に落とせばよい。
【００３３】
次に図４〜図８を参照して第２の実施形態について説明する。
【００３４】
この実施形態にかかるキャンドルスタンドは、ベース部６１上において、水平に配された複数の支持台で段が構成されている。
【００３５】
このベース部６１も、その内部に収納スペースが形成され、その内部に配線や電源が収納される。また、このベース部６１にはキャンドルスタンド６０を移動可能に支持するキャスター６２が取り付けられている（図４参照）。
【００３６】
この実施形態におけるキャンドルの配置については、第１の実施形態の場合と同様に、ベース部６１の後部の中央に位置する支持部６５を中心とし、この外側を相似形の三角形の斜辺をなす２辺で順次囲む様にして配置されている。そして、ベース部６１の後部中央に位置する支持部６５を最上段として構成し、その回りの各三角形の２辺上に配された支持部７３の高さを順次低くして、複数の段が形成されるように形成されている。
【００３７】
なお、図４に示すように、最上段を構成する支持部６５については、ベース部６１から上方に向けて延びる支持パイプ６６と、この支持パイプ６６の上端に取り付けられた搭載部６７とから構成されている。
【００３８】
一方、図４及び図５に示すように、最上段を除く支持部７３は、各段を構成している支持台７０に設けられている。この支持台７０は、隙間を空けて平行に配された二枚のアクリルなど透明なボード７１から構成され、ベース部６１から上方に延びる複数の支柱７２により下から支持されている。そして、各支持部７３は、図６に示すように、この支持台７０から上方に向けて延びる支持パイプ７４と、この支持パイプ７４の上端に取り付けられた搭載部７５とにより構成されている。これら支持パイプ７４及び搭載部７５も透明なアクリルなどで形成されている。
【００３９】
なお、搭載部７５には、ワイングラス７のフット９を引っかけるためのグラスフック６が２つずつそれぞれ形成されている。この搭載部７５には、第１の実施形態の図２に示す態様と同様に、ワイングラス７が乗せられ、カップ８の内部にキャンドル１０が配置される。そして、ワイングラス７のカップ８の縁部に着火手段としての点火ライター２０が取り付けられる。また、点火ライター２０とキャンドル１０の芯１３は、導火線３０でそれぞれ接続される。
【００４０】
そして、この第２の実施形態では、支持パイプ７４の内部に、発光ダイオード８０が設けられる。この発光ダイオード８０は、このキャンドルスタンド６０に一層の装飾効果を与えるものであり、各支持部７３を構成する支持パイプ７４の内部にそれぞれ取り付けられている。
【００４１】
各発光ダイオード８０の配線８１は、ボード７１の間に形成された隙間を通され、さらに、支柱７２に沿わされてベース部６１に延ばされている。なお、図には特に示していないが、点火ライター２０から延びる配線４０は、搭載部７５から支持パイプ７４の内部に通され、その先が、ボード７１の間に形成された隙間を通される。そして、支柱７２に沿わされてベース部６１に延ばされる。但し、搭載部７５から直に支持パイプ７４の内部に配線４０を通さず、支持パイプ７４に取り出し窓（不図示）を形成し、そこから内部に挿入しても良い。
【００４２】
なお、発光ダイオード８２は、図７に示すように、搭載部７５の下面に取り付けてもよい。この場合、発光ダイオード８２から延びる配線８１は、支持パイプ７４の内部を通されてボード７１間の隙間まで延ばされる。
【００４３】
図８は、この第２の実施形態にかかるキャンドル着火システムの回路の概要を示すものである。
【００４４】
この実施形態においても、各点火ライター２０は、それらが設けられた段毎に並列に接続され、これら各段の配線４０毎にコントローラ９０に接続されている。コントローラ９０には、各段に対応するスイッチ９１が設けられていて、各スイッチ９１に対応する段に設けられた点火ライター２０に電圧を印加することができる。また、この回路とは別に、発光ダイオード８０についても同様の回路が組まれている。即ち、各発光ダイオード８０は、それらが設けられた段毎に並列に接続され、これら各段の配線８１毎にコントローラ９０に接続されている。そして、コントローラ９０には、各段に対応するスイッチ９２が前述の点火ライター２０用のスイッチ９１とは別個に設けられている。各スイッチ９２に対応する段に設けられた発光ダイオード８０は、このスイッチ９２がＯＮされることで発光する。
【００４５】
この実施形態のキャンドル着火システムによれば、キャンドル１０の着火をどの段について行うかを任意に選択できることに加え、どの段の発光ダイオード８０を発光させるかについても任意に選択でき、多彩な演出を行うことができる。
【００４６】
なお、この実施形態で使用するキャンドルスタンド６０に、発光ダイオード８０を設けることなく点火ライター２０のみを設け、キャンドル１０の着火のみにより演出を行っても、十分に多彩な演出を行えることは勿論である。
【００４７】
次に図９〜図１１を参照して、本発明の第３の実施形態にかかるキャンドル着火システムについて説明する。
【００４８】
この実施形態で使用されるキャンドルスタンド１００は、平面視が三角形をなすベース部１０１と、ベース部１０１の上に設けられた、三角錐状の載置体１０２とから構成されている。
【００４９】
載置体１０２は、三角錐の各面をなす部位１０３，１０５と、これらのうち前面側に配される２つの前面部１０３の外壁面から外側に向けて張り出して取り付けられた支持台１０６とから構成されている。支持台１０６は、載置体１０２に複数の段が形成されるよう、各前面部１０３において上から等間隔をなして取り付けられている。
【００５０】
この載置体１０２を構成している構成している各部材はそれぞれアクリル等の透明な部材が採用されている。
【００５１】
図１０は、この載置体１０２の横断面図を示している。
【００５２】
この図１０に示すように、背面部１０５は、一枚の板材がそのまま使用されている。これに対し、前面部１０３は、板材を組み合わせ内部に空洞１０４を形成させた中空構造となっている。そして、内部の空洞１０４には水などの液体が充填される。
【００５３】
そして、図１１に示すように、このように構成された載置体１０２が使用されて、キャンドルスタンド１００は次の様に構成される。
【００５４】
前面部１０３には、気泡を発生させる気泡発生部１１２が、液体の充填された空洞１０４部の下部に配される。そして、この気泡発生部１１２は、エアホース１１１により、エアポンプ１１０と接続される。エアポンプ１１０は、ベース部１０１の内部に収納され、外からは見ることができないようになっている。さらに、ベース部１０１には、これら２つの前面部１０３の空洞１０４を下から上に向けて光を照射する照明１１５が設けられている。この照明１１５は通常用いられている電球や蛍光灯などを使用しても良いし、発光ダイオードを用いても良い。
【００５５】
一方、各支持台１０６には適宜間隔をあけて、図２に示したものと同様のワイングラス７が搭載され、これらワイングラス７のカップ８内にキャンドル１０が配置される。そして、点火ライター２０が各ワイングラス７に取り付けられる。これら点火ライター２０は、図３に示す態様と同様に段毎にコントローラ５０に接続される。
【００５６】
この第３の実施形態にかかるキャンドル着火システムによれば、どのキャンドル１０を着火させるかを段毎に任意に選択することができるだけでなく、載置体１０２の前面部１０３の空洞１０４を照明１１５で照射するタイミングを変化させることで、多彩な演出を行うことができる。また、この実施形態では、空洞１０４に充填された液体内に気泡を発生させるので、液体中に発生された気泡が、照明１１５の光を乱反射させ、キャンドル１０の火と相俟って、幻想的な演出を行うことができる。
【００５７】
なお、図９には、キャンドル１０の乗せられる支持台１０６は、段毎にそれぞれ１枚の長い板で形成されているが、これに限定されるものではい。各段において、短い板を水平に所定間隔をあけて配置し、一つの支持台１０６に一つのキャンドル１０を乗せるように構成しても良い。
【００５８】
また、この実施形態では、載置体１０２を三角錐に形成したものを使用しているが、これには限定されない。例えば、内部に空洞１０４が形成される様にアクリル板を組み合わせた平板状のもので載置体１０２を構成しても良い。
【００５９】
以上、キャンドルを置く際に、ワイングラス７のカップ８内に配置した場合を例に説明したがこれには限定されず、図２に示したキャンドル１０を直接置くようにしても良い。この場合、点火ライター２０は、キャンドル１０の外殻をなす容器１１に取り付ければよい。
【００６０】
次に本発明の第４の実施形態にかかるキャンドル着火システムについて、図１２及び図１３を参照して説明する。
【００６１】
このキャンドル着火システムでは、ハート形の支持体１２０がセンターキャンドル１２１に支持されて構成されている。支持体１２０は斜めに傾けられており、その上部がセンターキャンドル１２１の上端に固定されている。
【００６２】
支持体１２０にはその軸線方向に沿って複数のキャンドル１２２が一定の間隔をあけて配置されている。各キャンドル１２２は、支持体１２０から上方に向けて延びるようにしてそれぞれ取り付けられている。また、各キャンドル１２２の背後には、図１３に示すように、支持体１２０から上方に向けて延びる取付ブラケット１２５がそれぞれ設けられている。この取付ブラケット１２５には、各キャンドル１２２を点火せしめる点火ライター２０がそれぞれ取り付けられる。
【００６３】
そして、キャンドル１２２の芯１２３と、その背後に配置された点火ライター２０の点火部２３とは、導火線３０で連絡されており、点火ライター２０の火が導火線３０からキャンドル２０に伝わるように構成されている。なお、この導火線３０についても、その一端はキャンドル１２２のろうに固着され、他端は固定板２５に保持されている。
【００６４】
この実施形態にかかるキャンドル着火システムでは、図１４に示すように、各点火ライター１４を独立してコントローラ１３０に接続させる。そして、コントローラ１３０に、各点火ライター２０に対応するスイッチ１３１を設ければ、所望のキャンドル１０を任意に選択して着火できる。
【００６５】
なお、図１２には、支持体１２０がハート形に形成されたものを示したが、支持体１２０の形状は用途に応じて適宜選択すればよい。
【００６６】
次に、本発明のさらに別の第５の実施形態について、図１５〜図１９を参照しながら説明する。
【００６７】
図１５は、この実施形態にかかるキャンドルスタンド１３０の正面図を示し、図１６は、平面図を示している。この図１５及び図１６に示すように、キャンドルスタンド１３０は、平面視が正方形のベース部１３１と、このベース部１３１の上面から上方に向けて延びる複数の支持部１４０とを備えている。また、ベース部１３１の後部には、背面部１５０が、ベース部１３１の後部側の二辺１３３に沿うようにして設けられている。
【００６８】
ベース部１３１は、内部に収納スペースの形成されたボックスである。このベース部１３１の内部には、後に説明する配線や電源などが収納される。
【００６９】
支持部１４０は、ベース部１３１の上面から上方に向けて延びる支持パイプ１４１と、この支持パイプ１４１の上端に取り付けられ、キャンドル１０がその上に搭載される搭載部１４２とからそれぞれ構成されている。これら支持パイプ１４１及び搭載部１４２は、それぞれ透明な材料、例えばアクリル等で構成されている。このキャンドルスタンド１３０では、ベース部１３１の前面をなす二辺１３２に沿うようにして、最下段をなす支持部１４０がＶ字をなして設けられ、この最下段のベース部１３１の後ろ側に上段をなす支持部１４０が同じくＶ字をなして順次配されている。そして、最上段をなす支持部１４０は、ベース部１３１の一角をなし、最後部に位置された部位に設けられている。なお、各支持部１４０の支持パイプ１４１は、その根元が筒状のホルダ１３５により保持されている。このホルダ１３５も透明なアクリル等で形成されている。
【００７０】
この実施形態にかかるキャンドルスタンド１３０においても、ベース部１３１の一角をなし、最後部に位置された最上段のベース部１３１を、これより下段をなすベース部１３１が囲むように配されている。そして、支持部１４０は、前面側に向かうに連れ、ベース部１３１の高さが順次低くなるように、複数の段が形成されるように構成されている。
【００７１】
キャンドル１０は、搭載部１４２に載せられたワイングラス７のカップ８内に配置される。なお、この実施形態におけるキャンドルスタンド１３０においても、搭載部１４２に乗せられたワイングラス７が振動などにより落下することを防止するため、各搭載部１４２にグラスフック６を設けると良い（図２参照）。
【００７２】
このキャンドル１０も、筒状の容器１１内にろうが充填され、その中心に芯が設けられて構成されたものである。そして、ワイングラス７のカップ８には、キャンドル１０を着火する着火手段としての点火ライター２０が取り付けられる。この点火ライター２０の構造自体は、図２のところで説明した点火ライター２０と全く同様である。もっとも、この実施形態にかかるキャンドルスタンド１３０では、格段の中央に位置する支持部１４０にのみ着火ライター２０が設けられる。
【００７３】
この点火ライター２０と、格段の中央に位置するキャンドル１０の芯とは、導火線３０で連絡されている。両者の連絡は、図２に示した形態と同様である。このため、点火ライター２０に電圧が印加され、電熱線２２が発熱すると、点火部の上に配された部分が着火され、この火がキャンドル１０の芯に伝えられる。これによりキャンドル１０が着火されるようになっている。
【００７４】
そして、図１７に示すように、各段に配されたキャンドル１０の芯は、導火線１６０で直列に接続されている。導火線１６０は、キャンドル１０の芯と可燃性のテープ１６１で接続されており、導火線１６０の火がキャンドル１０の芯の位置で消えてしまうことが防止されている。このため、中央のキャンドル１０が着火すれば、格段において、火が各導火線１６０により伝達され、中心側のキャンドル１０から外側に配されたキャンドル１０が順次着火される。
【００７５】
図１８は、この点火ライター２０に電圧を印加させて点火させるためのシステムの概要を示すものである。この図１８に示すように、各点火ライターには配線１４５が繋がれている。この配線１４５はワイングラス７及び搭載部１４２の背面側を沿わされて、支持パイプ１４１の内部に通される。そして、配線１４５は、支持パイプ１４１の内部を通されてベース部１３１まで到達される。ベース部１３１まで到達された配線４０は、床を沿わせるなどして、遠隔操作をするためのコントローラ１７０に接続される。
【００７６】
各点火ライター２０は、上述したように、段毎の中央に位置する支持部１４０に設けられる。そして、各段の着火ライター２０毎に配線１４５が介してコントローラ１７０に接続されている。コントローラ１７０には、各段の点火ライター２０対応するスイッチ１７１〜１７５が設けられていて、各スイッチ１７１〜１７５に対応する点火ライター２０に独立して電圧を印加することができる。例えば、図１８に示すコントローラ１７０の右端のスイッチ１７５を押すと、最も外側に配された最下段の支持部１４０に設けられた点火ライター２０のみに電圧を引火する。
【００７７】
なお、この実施形態にかかるキャンドルスタンド１３０においても、搭載部１４２には、支持パイプ１４１と連通される取り出し窓が形成される。あるいは、支持パイプ１４１の上部であって、搭載部１４２の直下に支持パイプ１４１の内外を連通する取り出し窓が形成される。これにより支持パイプ１４１を通された配線１４５は、外部へ取り出され、着火ライター２０と接続される。
【００７８】
このように、このキャンドル１０の着火システムでは、所望の段を任意に選択し、これに対応する点火ライター２０に電圧を印加させることができる。これにより、遠隔操作により着火させたいキャンドル１０を段毎に選択して着火させることができる。
【００７９】
なお、最上段をなす支持部１４０にはあえて点火ライター２０を設けずに、最上段の支持部１４０に設けられたキャンドル１０は、人が着火するように構成しても構わない。
【００８０】
次に、ベース部１３１の後部に配置された背面部１５０について説明する。
【００８１】
この背面部１５０はベース部１３１の後部側をなす二辺１３３に沿って配置され、ベース部１３１の最後部をなす頂点部分１３４で相互に交わるようにして構成されている（図１６参照）。各辺１３３に沿ってはいされた背面部１５０は、その外形が三角形状にとなされ、上側に向かうにつれ先細りに形成されている。これら背面部１５０は、その外殻かアクリル板等の透明な板材により構成され、よりその内部に空間が形成されている。なお、背面部１５０の上端は、内外が連通されるように開口部１５１が形成されている。そして、この背面部１５０の内部の空間部には、水などの液体が充填される。
【００８２】
また、背面部１５０の底部には、気泡を発生させる気泡発生部１５５が、底部に沿わされて配される。この気泡発生部１５５は、ベース部１３１の内部に収納されたエアポンプにエアホースを介して接続される。さらに、ベース部１３１には、各背面部１５０の空間を下から上に向けて光を照射する照明が設けられる。この照明は発光ダイオードを用いると良が、発光ダイオードの他、電球や蛍光灯などを使用しても良い。
【００８３】
この背面部１５０では、図１９に示すように、背面部１５０の内部を気泡が上昇する。そして、下から照射された光がこの気泡に反射され、光が上昇するように映し出される。なお、背面部１５０の内部で発生した気泡は、背面部１５０の上端に形成された開口部１５１から大気に逃げ、背面部１５０の内圧が上昇することが阻止される。
【００８４】
かかる背面部１５０を具備するキャンドルスタンド１３０では、背面部１５０の光の演出による効果と、キャンドル１０の火との効果とが相互に相俟って、一層キャンドルスタンド１３０を美しく見せることができる。加えて、照明を間欠的に点滅させたり、照射のタイミングを工夫することで、さらに幻想的な演出を行うことも可能となる。
【図面の簡単な説明】
【００８５】
【図１】本発明の第１の実施形態にかかるキャンドル着火システムに使用されるキャンドルスタンドの一態様を示す斜視図。
【図２】キャンドルスタンドの支持部に搭載されたキャンドルの一態様を示す斜視図。
【図３】キャンドル着火システムの回路の概略を示す図。
【図４】本発明の第２の実施形態にかかるキャンドル着火システムに使用されるキャンドルスタンドの一態様を示す正面図。
【図５】図４に示すキャンドルスタンドの平面図。
【図６】図４に示すキャンドルスタンドの支持部の詳細を示す縦断面図。
【図７】図６とは別の実施形態にかかる支持部の詳細を示す縦断面図。
【図８】キャンドル着火システムの回路の概略を示す図。
【図９】本発明の第３の実施形態にかかるキャンドル着火システムに使用されるキャンドルスタンドの一態様を示す斜視図。
【図１０】図９に示すキャンドルスタンドを構成する載置体の横断面図。
【図１１】第３の実施形態にかかるキャンドル着火システムの仕組みを模型的に示す図。
【図１２】本発明の第４の実施形態にかかるキャンドル着火システムに使用されるキャンドルスタンドの一態様を示す斜視図。
【図１３】キャンドルと点火ライターとの位置関係を示す斜視図。
【図１４】図１２のキャンドル着火システムの概要を示す図。
【図１５】本発明の第５の実施形態にかかるキャンドル着火システムに使用されるキャンドルスタンドの一態様を示す正面図。
【図１６】図１５に示すキャンドルスタンドの平面図。
【図１７】図１５に示すキャンドルスタンドにもうけられたキャンドルの導火線による接続態様を示す図。
【図１８】第５の実施形態にかかるキャンドル着火システムの回路の概略を示す図。
【図１９】キャンドルスタンドの背面図。
【符号の説明】
【００８６】
１，６０，１００，１３０・・・・キャンドルスタンド
２，６１，１０１，１３１・・・・ベース部
３，６５，７３，１４０・・・・・支持部
４，６６，７４，１４１・・・・・支持パイプ
４ａ・・・・・・・・・・取り出し窓
５，６７，７５，１４２・・・・・搭載部
６・・・・・・・・・・・クラスフック
１０，１２２・・・・・・キャンドル
２０・・・・・・・・・・点火ライター（着火手段）
３０，１６０・・・・・・・・・・導火線
４０，８１，１４５・・・・・・・配線
５０，９０，１３０，１７０・・・コントローラ
７０，１０６・・・・・・支持台
７１・・・・・・・・・・ボード
８０，８２・・・・・・・発光ダイオード（発光体）
１０２・・・・・・・・・載置体
１１２・・・・・・・・・気泡発生部
１１５・・・・・・・・・照明（発光体）
１２０・・・・・・・・・支持体
１５０・・・・・・・・・背面部
【図１】
2007024482.tif 000003
【図２】
2007024482.tif 000004
【図３】
2007024482.tif 000005
【図４】
2007024482.tif 000006
【図５】
2007024482.tif 000007
【図６】
2007024482.tif 000008
【図７】
2007024482.tif 000009
【図８】
2007024482.tif 000010
【図９】
2007024482.tif 000011
【図１０】
2007024482.tif 000012
【図１１】
2007024482.tif 000013
【図１２】
2007024482.tif 000014
【図１３】
2007024482.tif 000015
【図１４】
2007024482.tif 000016
【図１５】
2007024482.tif 000017
【図１６】
2007024482.tif 000018
【図１７】
2007024482.tif 000019
【図１８】
2007024482.tif 000020
【図１９】
2007024482.tif 000021